(57)【特許請求の範囲】
【請求項１】
下方に開口部を備えたインターナルポンプのモータケーシングと、前記開口部に嵌合する凸状の嵌合部を有する下部閉止フランジとを備えるインターナルポンプの閉止装置において、
前記嵌合部の外周面に設けられ、内部に伸縮自在な拘持部材が配置された凹部と、前記凹部よりも上方の嵌合部外周面に設けられた環状シール部材と、前記嵌合部の内部に設けられ当該嵌合部の上面と前記凹部とを連通する連通路と、を備え、
前記拘持部材は前記連通路を介して加えられる水圧によって外方へ押圧されることにより前記モータケーシングを拘持することを特徴とするインターナルポンプの閉止装置。
【請求項２】
前記拘持部材はプッシュリング又はピストンであることを特徴とする請求項１記載のインターナルポンプの閉止装置。
【請求項３】
前記モータケーシングの内周面に前記拘持部材と嵌合する凹部を設けたことを特徴とする請求項１又は２記載のインターナルポンプの閉止装置。
【請求項４】
下方に開口部を備えたインターナルポンプのモータケーシングと、前記開口部に嵌合する凸状の嵌合部を有する下部閉止フランジと、前記下部閉止フランジを前記モータケーシングに締結するボルトとを備えるインターナルポンプの閉止装置において、
前記嵌合部の上端外周面に設けられた突部と、前記モータケーシングの内周面に設けられ前記突部に係合する案内溝と、前記モータケーシングの下部に設けられた貫通孔と、前記嵌合部の内部に設けられ当該嵌合部の上面と外周面とを連通する連通路と、を備え、
前記案内溝は両端に第１及び第２の屈曲部が形成された横溝と、前記第１の屈曲部から上方に延びる縦溝と、前記第２の屈曲部から下方に延びる縦溝とを有し、前記突部が前記第１の屈曲部に位置したときに前記貫通孔と連通路が連通することを特徴とするインターナルポンプの閉止装置。
【発明の詳細な説明】
【技術分野】
【０００１】
本発明は原子炉圧力容器の底部に設置されるインターナルポンプの閉止装置に関する。
【背景技術】
【０００２】
改良型沸騰水型原子炉の圧力容器底部には複数台のインターナルポンプが圧力容器内に貫通して垂設されている。インターナルポンプ５０は、図４に示すようにポンプ部４０とモータ部４１から構成され、圧力容器４８の底部に突設された開口スリーブ４２内にモータケーシング４３を挿通し、その上端部を開口スリーブ４２に溶接してモータケーシング４３の下半部を圧力容器４８の外部に吊設している。このモータケーシング４３内にはモータシャフト４４及びポンプシャフト４５が回転自在に同軸に収納され、ポンプシャフト４５の上端部にはインペラ４６が取付けられている。
【０００３】
このインターナルポンプ５０の定期検査を実施する際は、インペラ４６、モータシャフト４４、ポンプシャフト４５の取付け・取外し並びにシールの交換作業が行われる。
この定検作業では、炉心の崩壊熱除去の必要性から圧力容器に炉水を満たした状態で行う必要があるため、交換作業時にモータケーシング４３から炉水が流出しないように定検作業を実施する必要がある。
【０００４】
このため、インペラ４６及び各シャフト４４、４５の取付け・取外しの際には、仮設用の下部閉止フランジ（図示せず）を使用し、取付け・取外しのために必要となるモータケーシング４３の水抜き・水張り作業を行う。
【０００５】
しかしながら、上記作業において作業員の誤操作によりモータケーシング４３内の炉水が排出されていない状態で下部閉止フランジの取外しを行うと炉水が外部に流出してしまう。このような誤操作による炉水の流出を防止する手段として、モータケーシング４３内の水量を検知する水量センサをモータケーシング内に設置し、その検出信号を用いて下部閉止フランジの取外しを防止するインターロック機構を設けることが提案されている（特許文献１）。
【先行技術文献】
【特許文献】
【０００６】
【特許文献１】特開平７−６３８７７号公報
【発明の概要】
【発明が解決しようとする課題】
【０００７】
上述した従来の閉止装置では作業員の誤操作による炉水流出を防止するために、モータケーシング内に水量センサを設け、かつ下部閉止フランジの装着機構にインターロック機構を設置する必要があるとともに、水量センサからの信号に基づいてインターロック機構を制御する制御盤等の装置を設ける必要があり、水量センサや制御盤の故障時には炉水が流出してしまう可能性があった。
【０００８】
本発明は上記課題を解決するためになされたものであり、センサや制御盤等を用いることなく、モータケーシング内の水が排水される前に下部閉止フランジが取外されることを確実に防止することができるインターナルポンプの閉止装置を提供することを目的とする。
【課題を解決するための手段】
【０００９】
上記課題を解決するために、本発明に係るインターナルポンプの閉止装置は、下方に開口部を備えたインターナルポンプのモータケーシングと、前記開口部に嵌合する凸状の嵌合部を有する下部閉止フランジとを備えるインターナルポンプの閉止装置において、前記嵌合部の外周面に設けられ、内部に伸縮自在な拘持部材が配置された凹部と、前記凹部よりも上方の嵌合部外周面に設けられた環状シール部材と、前記嵌合部の内部に設けられ当該嵌合部の上面と前記凹部とを連通する連通路と、を備え、前記拘持部材は前記連通路を介して加えられる水圧によって外方へ押圧されることにより前記モータケーシングを拘持することを特徴とする。
【００１０】
また、本発明に係るインターナルポンプの閉止装置は、下方に開口部を備えたインターナルポンプのモータケーシングと、前記開口部に嵌合する凸状の嵌合部を有する下部閉止フランジと、前記下部閉止フランジを前記モータケーシングに締結するボルトとを備えるインターナルポンプの閉止装置において、前記嵌合部の上端外周面に設けられた突部と、前記モータケーシングの内周面に設けられ前記突部に係合する案内溝と、前記モータケーシングの下部に設けられた貫通孔と、前記嵌合部の内部に設けられ当該嵌合部の上面と外周面とを連通する連通路と、を備え、前記案内溝は両端に第１及び第２の屈曲部が形成された横溝と、前記第１の屈曲部から上方に延びる縦溝と、前記第２の屈曲部から下方に延びる縦溝とを有し、前記突部が前記第１の屈曲部に位置したときに前記貫通孔と連通路が連通することを特徴とする。
【発明の効果】
【００１１】
本発明によれば、従来の閉止装置に設置されていた水量センサ、制御盤、インターロック機構等を用いることなく、モータケーシング内の水が排水される前に下部閉止フランジが取外されることを確実に防止することにより、モータケーシング内の炉水の外部流出、拡散を防止することができる。
【図面の簡単な説明】
【００１２】
【図１】第１の実施形態に係るインターナルポンプの閉止装置の構成図。
【図２】第２の実施形態に係るインターナルポンプの閉止装置の構成図。
【図３】（ａ）は第３の実施形態に係るインターナルポンプのモータケーシングの構成図、（ｂ）は下部閉止フランジの構成図。
【図４】インターナルポンプの構成図。
【発明を実施するための形態】
【００１３】
以下、本発明に係るインターナルポンプの閉止装置の実施形態について、図面を参照して説明する。
（第１の実施形態）
第１の実施形態に係るインターナルポンプの閉止装置について、図１を参照して説明する。
【００１４】
第１の実施形態に係るインターナルポンプの閉止装置は、図１に示すように、円筒状のモータケーシング１と、モータケーシング１の下部に嵌合される嵌合部２６を有する下部閉止フランジ２と、嵌合部２６の外周面に設けられ内部にプッシュリング等からなる拘持部材２３が配置される凹部２２と、嵌合部２６の上面と凹部２２を連通する連通路２１と、凹部２２よりも上方の嵌合部２６の外周面に設けられた環状シール部材２４と、下部閉止フランジ２をモータケーシング１に着脱可能に締結するボルト４とから構成される。
【００１５】
このように構成されたインターナルポンプの閉止装置において、モータケーシング１内の水が排水される前に下部閉止フランジ２の取外しを行うと、モータケーシング１内の水が下部閉止フランジ２に設けた連通路２１を介して凹部２２へ流入する。その際、拘持部材２３の内外で差圧が発生し、拘持部材２３が連通路２１を介して加えられた水圧により外方へ押圧されモータケーシング１の内面に圧着される。これにより、ボルト４を外した後も下部閉止フランジ２をモータケーシング１に拘持することができる。
【００１６】
一方、モータケーシング１内の水が排出された場合には、拘持部材２３の内外の差圧がなくなり、モータケーシング１の内面に圧着していた拘持部材２３が復元力によって初期状態に戻ることで拘持が解除され、ボルト４を外すことで下部閉止フランジ２の取外しを行うことができる。
【００１７】
このように、本実施形態によれば、モータケーシング内の水が排水される前に下部閉止フランジの取外されることを防止することができる。したがって、従来の水量センサ、制御盤及び制御盤からの信号を受け連動する着脱装置等を用いることなく、モータケーシング内の炉水の外部流出、拡散を防止することができる。
【００１８】
なお、上記実施形態では、凹部は嵌合部の外周全体にわたって設けられているが、これに限定されず、所定の間隔をおいて複数設けてもよい。また、凹部に連通する連通路も放射状に複数設けてもよい。
【００１９】
（第２の実施形態）
第２の実施形態に係るインターナルポンプの閉止装置について、図２を参照して説明する。なお、上記実施形態と同一の構成には同一の符号を付し、重複する説明は省略する。
【００２０】
第２の実施形態に係るインターナルポンプの閉止装置は、図２に示すように、嵌合部２６の外周面に設けられた凹部２７にピストンからなる拘持部材２５が配置されている。拘持部材２５の外周面にはシール部材又はシールリングが設けられており（図示せず）、また、モータケーシング１の内周面に拘持部材２５と嵌合する凹部１１が設けられている。また、凹部２７及び拘持部材２５は嵌合部２６の外周面に所定の間隔をおいて複数設けられている。
【００２１】
このように構成されたインターナルポンプの閉止装置において、モータケーシング１内の水が排水される前に下部閉止フランジ２の取外しを行うと、モータケーシング１内の水が下部閉止フランジ２に設けた連通路２１を介して凹部２７へ流入する。その際、拘持部材２５の内外で差圧が発生し、拘持部材２５が水圧により外方へ移動しモータケーシング１の内面の凹部１１に嵌合圧着される。これにより、ボルト４を外した後も下部閉止フランジ２を拘持すことができる。
【００２２】
一方、モータケーシング１内の水が排出された場合には、拘持部材２５の内外の差圧がなくなり、モータケーシング１内面に設けた凹部１１に嵌まり込んだ拘持部材２５が、拘持部材２５と凸部２７を連結する弾性部材２８の復元力によって初期状態に戻ることで拘持が解除される。これにより、ボルト４を外すことで下部閉止フランジ２の取外しを行うことができる。
【００２３】
このように、本実施形態によれば、上記第１の実施形態と同様な作用効果を奏するとともに、拘持部材と嵌合する凹部をモータケーシングに設けたことにより、モータケーシングと下部閉止フランジとを確実に拘持することができる。
なお、拘持部材と嵌合する凹部は第１の実施形態のモータケーシングにも設置することができる。
【００２４】
（第３の実施形態）
第３の実施形態に係るインターナルポンプの閉止装置について、図３を参照して説明する。なお、上記実施形態と同一の構成には同一の符号を付し、重複する説明は省略する。
【００２５】
第３の実施形態に係るインターナルポンプの閉止装置は、図３に示すように、嵌合部３４の上端外周面に設けられた突部３２と、モータケーシング１の内周面に設けられ突部３２に係合する案内溝１２と、モータケーシングの下部に設けられた貫通孔１３と、前記嵌合部３４の上面と外周面とを連通する連通路３１と、から構成される。
案内溝１２は縦溝１２ａ、１２ｃ、横溝１２ｂ及び屈曲部１２ｄの組み合わせからなる。
【００２６】
このように構成されたインターナルポンプの閉止装置において、下部閉止フランジ２とモータケーシング１をボルト４により密着固定する際、縦溝１２ａと突起３２の位置を合わせ、下部閉止フランジ２を縦方向に上昇させると突起３２が縦溝１２ａと横溝１２ｂの屈曲部まで上昇する。その後、下部閉止フランジ２を閉方向に回転させると、前記横溝１２ｂから縦方向に延びた縦溝１２ｃの屈曲部１２ｄまで突起３２が移動することにより下部閉止フランジ２が回転する。
【００２７】
さらに下部閉止フランジ２を縦方向に上昇させると前記横溝１２ｂから縦方向に延びた縦溝１２ｃの閉塞点まで突起３２が上昇することにより下部閉止フランジ２が前記横溝１２ｂから縦方向に延びた縦溝１２ｃの閉塞点までの距離だけ上昇し、モータケーシング１を密着する。
この状態でボルト４によりモータケーシング１と下部閉止フランジ２を締結することで下部閉止フランジ２をモータケーシング１に固定することができる。
【００２８】
一方、ボルト４が締結された状態で縦溝１２ｃの閉塞点に位置している突起３２が、ボルトを緩めることで縦溝１２ｃと、縦溝１２ｃから伸びる横溝１２ｂとの屈曲部１２ｄに降下し、連通路３１と貫通孔１３とが連通する。モータケーシング１の内部に水がある場合、連通路３１に水が流入して貫通孔１３から滴下することで、モータケーシング１内の水の残存を感知することができる。
【００２９】
このように、本実施形態によれば、モータケーシング内の水が排水される前に下部閉止フランジの取外し作業を行うと、下部閉止フランジからボルトを取外した時点で貫通孔から水が滴下するので、作業員がモータケーシング内の水の残存を感知でき、誤って下部閉止フランジを取り去ることを防止する。
【００３０】
したがって、水量センサ、制御盤及び制御盤からの信号を受け連動する着脱装置等を用いることなく、モータケーシング内の炉水の外部流出、拡散を防止することができる。
【００３１】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、組み合わせ、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１…モータケーシング、２…下部閉止フランジ、４…ボルト、１１…凹部、１２…案内溝、１２ａ，１２ｃ…縦溝、１２ｂ…横溝、１２ｄ…屈曲部、１３…貫通孔、２１，３１…連通路、２２，２７…凹部、２３，２５…拘持部材、２４…環状シール部材、２６，３４…嵌合部、２８…弾性部材、３２…突部、４０…ポンプ部、４１…モータ部、４２…開口スリーブ、４３…モータケーシング、４４…モータシャフト、４５…ポンプシャフト、４６…インペラ、４８…圧力容器、５０…インターナルポンプ。
【図１】
0005734735.tif 000002
【図２】
0005734735.tif 000003
【図３】
0005734735.tif 000004
【図４】
0005734735.tif 000005